(57)【要約】【課題】従来のトレイ方式の光ディスク装置では、トレイの引き出し量は光ディスクの全体が筐体から引き出され露出するよう設定されているため構造が複雑になると共に部品点数も増加し、光ディスク装置の重量増の原因となっていた。【解決手段】開口部２ｃを有する筐体２と、前記筐体２に対し挿抜自在に保持され前記開口部２ｃから出入りするトレイ３と、前記トレイ３に設けられ光ディスクを保持し回転駆動する回転駆動部とを備えた光ディスク装置１であって、前記トレイ３の最大引き出し状態における前記開口部２ｃ端から前記回転駆動部の回転中心までの距離を、前記回転駆動部に装着できる最大径の光ディスクの半径よりも小さくした。これにより、光ディスク装置１を軽量化することが出来る。【選択図】図２
2005129202.tif 000002
【特許請求の範囲】
【請求項１】
開口部を有する筐体と、
前記筐体に対し挿抜自在に保持され前記開口部から出入りするトレイと、
前記トレイに設けられ光ディスクを保持し回転駆動する回転駆動部と
を備えた光ディスク装置であって、
前記トレイの最大引き出し状態における前記開口部端から前記回転駆動部の回転中心までの距離が、前記回転駆動部に装着できる最大径の光ディスクの半径よりも小さい
ことを特徴とする光ディスク装置。
【請求項２】
前記筐体はレールガイド部を備え、
前記トレイはレール部を備え、
前記トレイは、前記レールガイド部と前記レール部の摺動により、前記筐体に対し挿抜自在に保持される
ことを特徴とする請求項１に記載の光ディスク装置。
【請求項３】
前記レール部は、前記トレイとは別体に構成され、前記トレイに固定されている
ことを特徴とする請求項２に記載の光ディスク装置。
【請求項４】
前記トレイは、引き出し方向筐体側に、凹部を有する
ことを特徴とする請求項１に記載の光ディスク装置。
【請求項５】
前記トレイは、引き出し方向筐体側に、前記回転駆動部の回転軸方向にくぼんだ凹部を有する
ことを特徴とする請求項１に記載の光ディスク装置。
【請求項６】
前記トレイは、引き出し方向筐体側に、前記回転駆動部に保持された装着できる最大径の光ディスクとの距離が大きくなる部分を有する
ことを特徴とする請求項１に記載の光ディスク装置。
【請求項７】
前記トレイは、引き出し方向筐体側に向かうに従い、前記回転駆動部に保持された装着できる最大径の光ディスクとの距離が大きくなる
ことを特徴とする請求項１に記載の光ディスク装置。
【請求項８】
前記トレイは、引き出し方向筐体側に、前記回転駆動部に向かって凹となる凹部を有することを特徴とする請求項１に記載の光ディスク装置。
【請求項９】
前記回転駆動部に保持された装着できる最大径の光ディスクの一部が、前記凹部からはみ出る
ことを特徴とする請求項８に記載の光ディスク装置。
【請求項１０】
前記トレイは、引き出し方向筐体側に、切り欠き部を有する
ことを特徴とする請求項１に記載の光ディスク装置。
【請求項１１】
前記回転駆動部に保持された装着できる最大径の光ディスクの一部が、前記切り欠き部からはみ出る
ことを特徴とする請求項１０に記載の光ディスク装置。
【請求項１２】
前記回転駆動部に保持された装着できる最大径の光ディスクの一部が、前記トレイの引き出し方向筐体側の端部からはみ出る
ことを特徴とする請求項１に記載の光ディスク装置。
【請求項１３】
前記トレイを前記筐体に収納した状態において、前記筐体内に設けられた回路基板と前記トレイとが前記回転駆動部の回転軸方向において重ならない
ことを特徴とする請求項１２に記載の光ディスク装置。
【発明の詳細な説明】
【技術分野】
【０００１】
本発明はパーソナルコンピュータ等の電子機器に内蔵もしくは外付けで使用される光ディスク装置に関する。また、磁気ディスク装置などのディスク装置に関するものである。
【背景技術】
【０００２】
図９は従来のトレイ方式の光ディスク装置の外観図、図１０は従来のトレイ方式の光ディスク装置の外観図で天部を除去した図である。光ディスク装置１には筐体２及びトレイ３があり、図９、図１０は筐体２からトレイ３を引き出した状態を示している。筐体２は天部２ａと底部２ｂから構成されている。トレイ３にはピックアップモジュール４が設けられている。ピックアップモジュール４には光学系を構成した光ピックアップ５とディスクを回転させるスピンドルモータ４ａ及び制御回路を構成するトレイ側回路基板４ｃが構成されている。スピンドルモータ４ａにはディスク装着部４ｂがあり、ディスクを装着し回転駆動させる。トレイ３の両側部にはレール部６があり、両側部共にレール７とディスク引き出し方向に摺動自在に嵌合している。また、レール７は筐体２両側部内面に設けられたレールガイド８ともディスク引き出し方向に摺動自在に嵌合しており、トレイ３は筐体２からディスクが着脱できるよう引き出すことが出来る。トレイ３の引き出し量は、筐体２から最大限引き出した状態では装着された光ディスクの全体が筐体２から引き出され露出するよう設定されている。
【０００３】
筐体２の底部２ｂには制御回路を構成する筐体側回路基板９が設けられている。筐体側回路基板９には、外部からの電力の供給と信号の入出力を行うコネクタ９ａが設けられている。筐体側回路基板９とトレイ３に設けられたトレイ側回路基板４ｃとはフレキシブルプリントケーブル１０で結線されている。フレキシブルプリントケーブル１０は略Ｕ字形をしており、その一方の腕が折り返されてトレイ側回路基板４ｃに結線されている。折り返し部１０ａはトレイ３の出し入れとともにトレイ３の出し入れ方向に平行して移動する。
【０００４】
先行例としては、（特許文献１）（特許文献２）等がある。
【特許文献１】特開平７−２５４１９９号公報
【特許文献２】特開２００３−２２５９９号公報
【発明の開示】
【発明が解決しようとする課題】
【０００５】
従来のトレイ方式の光ディスク装置では、トレイ３の引き出し量は、筐体２から最大限引き出した状態では装着された光ディスクの全体が筐体２から引き出され露出するよう設定されているため、トレイ３の引き出し量が大きい。したがって、この引き出し量を確保する為に、トレイ３の両側部のレール部６とレール７の摺動する嵌合構造及び、レール７と筐体２両側部内面に設けられたレールガイド８の摺動する嵌合構造の２段階の摺動する嵌合構造が必要となっている。このため、構造が複雑になると共に部品点数も増加し、光ディスク装置の重量増の原因となっていた。
【課題を解決するための手段】
【０００６】
このような課題を解決する為に本発明は、トレイの最大引き出し状態における開口部端から回転駆動部の回転中心までの距離を、回転駆動部に装着できる最大径の光ディスクの半径よりも小さくした。
【発明の効果】
【０００７】
本発明により、光ディスク装置の重量を低減することができる。
【発明を実施するための最良の形態】
【０００８】
第１の発明は、開口部を有する筐体と、前記筐体に対し挿抜自在に保持され前記開口部から出入りするトレイと、前記トレイに設けられ光ディスクを保持し回転駆動する回転駆動部とを備えた光ディスク装置であって、前記トレイの最大引き出し状態における前記開口部端から前記回転駆動部の回転中心までの距離を、前記回転駆動部に装着できる最大径の光ディスクの半径よりも小さくしたものであり、トレイを筐体から最大限引き出した状態においてもレール無しでトレイと筐体の嵌合は維持されるため、構造が簡単になるとともに部品点数が減少し光ディスク装置の重量を低減することができるものである。
【０００９】
以下、発明を実施するための最良の形態について図を用いて説明する。
【００１０】
図１は本発明の一実施の形態における光ディスク装置でトレイを引き出した状態の外観図、図２は本発明の一実施の形態における光ディスク装置でトレイを引き出した状態であり筐体の天板を除去した外観図、図３は本発明の一実施の形態における光ディスク装置の光ディスクの取り付けを説明する側面図でトレイを最大限引き出した状態の図、図４は本発明の別の一実施の形態における光ディスク装置でトレイを引き出した状態の外観図、図５は本発明の別の一実施の形態における光ディスク装置で、トレイを引き出した状態であり筐体の天板を除去した外観図、図６は本発明の別の一実施の形態における光ディスク装置で光ディスクの取り付けを説明する側面図、図７は本発明の別の一実施の形態における光ディスク装置のトレイ部の正面図、図８は本発明の別の一実施の形態における光ディスク装置のトレイを収納した状態であり筐体の天板を除去した外観図である。
【００１１】
図１、図２において、光ディスク装置１には筐体２及びトレイ３がある。図１、図２は筐体２からトレイ３を最大限引き出した状態を示している。筐体２は天部２ａと底部２ｂから構成されている。トレイ３にはピックアップモジュール４が設けられている。ピックアップモジュール４には光学系を構成した光ピックアップ５とディスクを回転させるスピンドルモータ４ａ及び制御回路を構成するトレイ側回路基板４ｃが構成されている。スピンドルモータ４ａにはディスク装着部４ｂがあり、ディスクを装着し回転駆動させる。
【００１２】
トレイ３の両側部にはレール部６があり、両側部のレール部６は共に筐体２両側部内面に設けられたレールガイド８とディスク引き出し方向に摺動自在に嵌合しており、トレイ３は筐体２からディスクが着脱できるよう引き出すことが出来る。トレイ３の引き出し側の側部にはベゼル１１が装着されている。トレイ収納時においてはベゼル１１が筐体２の開口部２ｃを塞ぐ様構成されている。またトレイ３には、レール部６側の一方の側部にディスク装着時においてトレイ３からディスクが一部はみ出す欠落部３ａが設けられている。
【００１３】
筐体２の開口部２ｃとは反対側となる後側部２ｄにはコネクタ９ａが設けられており、コンピュータなど他の電子機器とはコネクタ９ａを通じて結線されることにより、データの伝達が行われる。さらにコネクタ９ａは制御回路を構成する筐体側回路基板９上に設けられている。筐体側回路基板９は筐体２の底部２ｂにねじ止めもしくは係止によって固定されている。筐体側回路基板９とトレイ側回路基板４ｃはフレキシブルプリントケーブル１０によって結線されている。フレキシブルプリントケーブル１０は略Ｖ字形もしくは略Ｕ字形をしており、一部（図中斜線部Ａ）は筐体２の底部２ｂに接着されている。接着されている部分に近い端部が筐体側回路基板９にコネクタ９ｂを介して接続されている。フレキシブルプリントケーブル１０の底部２ｂに接着されていない部分は折り返し部１０ａにて折り返されてトレイ側回路基板４ｃに接続されている。折り返し部１０ａはトレイ３の筐体２への収納や引き出しによって、トレイ３引き出し方向に移動する。トレイ３の収
納時において折り返し部１０ａは筐体側回路基板９に最も近づくが、折り返し部１０ａと筐体側回路基板９の接触を回避する為に筐体側回路基板９には逃がし部９ｃが設けられている。
【００１４】
トレイ３を筐体２から最大限引き出した状態において、筐体２の開口部２ｃの端部からスピンドルモータ４ａの回転中心までの距離（図３（ｂ）中Ｂ）は、ディスク装着部４ｂに装着できる最大径の光ディスクの半径よりも小さい。すなわちディスク装着部４ｂに装着状態の光ディスクの全体が露出せず、一部は筐体２の中に入っている様にトレイの最大引き出し量（図３（ｂ）中Ｃ）が設定されている。最大引き出し量Ｃはレール部６とレールガイド８に設けられた係止部（図示せず）によるレール部６に対するレールガイド８の摺動量の規制によって設定されている。トレイ３の筐体側端部には一部を切り欠いた切り欠き部３ｂが設けられ、トレイ３の筐体側端部がスピンドルモータ４ａ側に凹となる構成となっている。
【００１５】
図３（ａ）に示すように、従来の光ディスク装置ではトレイの引き出し量Ｃは光ディスクの最大径よりも大きいため、スピンドルモータ４ａの回転軸方向にディスクをディスク装着部４ｂに近づけ、装着する。図３（ｂ）に示すように、本発明の一実施の形態における光ディスク装置においては、トレイの引き出し量Ｃは光ディスクの最大径よりも小さいが、Ｃを適当な値に設定することにより、矢印Ｊの向きに光ディスクを滑らせて光ディスク中央の孔をディスク装着部４ｂに位置合わせし、矢印Ｋの向きに光ディスクを押しつけることによって光ディスクが装着できる。その際、光ディスクの滑らせる方向の先端部分１２がトレイ３に衝突するのを回避するように切り欠き部３ｂの形状が設定されている。トレイの引き出し量や切り欠き部３ｂの切り欠き量については、ディスクの着脱性を考慮して設定される。例えば切り欠き部３ｂの側面３ｃの端部３ｄから筐体２の天板２ａ迄の距離Ｄが４ｍｍの場合、切り欠き部３ｂの側面３ｃからスピンドルモータ４ａの回転中心までの距離Ｅが４５ｍｍで、トレイ最大引き出し時における筐体２の開口部２ｃ側端部からスピンドルモータ４ａの回転中心までの距離Ｂが３０ｍｍ以上であれば、上記装着方法で支障なく光ディスクが装着できることが確認されている。
【００１６】
なお、切り欠き部３ｂの側面３ｃの端部３ｄから筐体２の天板２ａ迄の距離Ｄやトレイ３の最大引き出し量によっては、切り欠き部３ｂを設けなくても支障なくディスクの着脱が出来る場合があるが、その場合は切り欠き部３ｂを省略することも出来る。
【００１７】
以上のような構成にすることにより、トレイ３は筐体２から出てしまわない為、トレイ３の最大引き出し状態においてもレール部６とレールガイド８の嵌合が維持されている。すなわち、従来の技術にあったレールを必要とせずに、レール部６とレールガイド８でディスク引き出し方向に摺動自在な嵌合が可能となり、構造が簡単になるとともに部品点数が減少し光ディスク装置の重量を低減することができる。さらに、トレイ３の筐体側端部に一部を切り欠いた切り欠き部３ｂを設け、トレイ３の筐体側端部がスピンドルモータ４ａ側に凹となる構成としたことにより、ディスクの着脱がより容易となり、操作性が向上する。また、従来の技術に比べトレイ３の引き出し量が少ない為、フレキシブルプリントケーブル１０の長さを短くすることが出来、より安価に筐体側回路基板９とトレイ側回路基板４ｃを結線することが出来る。
【００１８】
なお、本実施の形態においてトレイ３の引き出し方向筐体側の端部には、スピンドルモータ４ａ側に凹となる切り欠き部３ｂを設ける構成としたが、スピンドルモータ４ａよりも引き出し方向筐体側において、トレイ３がスピンドルモータ４ａの回転軸方向にくぼんだ構成であってもよい。また、スピンドルモータ４ａから引き出し方向筐体側に向かうに従い、トレイ３がスピンドルモータ４ａの回転軸方向に下がっていく、言い換えると、トレイ３が、スピンドルモータ４ａから引き出し方向筐体側に向かうに従い、装着した光デ
ィスクから離れていく構成であってもよい。
【００１９】
つまり、スピンドルモータ４ａのディスク装着部４ｂに光ディスクを装着した際に光ディスクのデータ読み取り面に対向するディスク装着面と、装着された光ディスクとの距離を考えると、これらの構成を有するトレイ３は、スピンドルモータ４ａよりも引き出し方向筐体側に、光ディスクとディスク装着面との距離が大きくなる部分を有することになり、筐体２から引き出されたトレイ３に光ディスクを装着する場合や光ディスクをトレイ３から取り外す際に、光ディスクの先端部分１２がトレイ３に衝突することを回避することが可能となる。
【００２０】
つぎに本発明の別の一実施の形態における光ディスク装置について、図４、図５、図６を用いて詳細に説明する。
【００２１】
本実施の形態においては、ディスク装着時において、トレイ３の筐体２側からディスクの一部がはみ出す様にトレイ３が構成されている。すなわちスピンドルモータ４ａの回転中心からトレイ３の筐体２側の側面３ｅまでの距離Ｅは装着されるディスクの最大径よりも小さい。距離Ｅはディスクの着脱性を考慮して設定される。図６に示すようにこのような構成においては、トレイの引き出し量Ｃは光ディスクの最大径よりも小さいが、トレイの引き出し量Ｃを適当な値に設定することにより、矢印Ｊの向きに光ディスクを滑らせて光ディスク中央の孔をディスク装着部４ｂに位置合わせし、矢印Ｋの向きに光ディスクを押しつけることによって光ディスクが装着できる。例えばトレイ３の筐体２側の側面３ｅの端部３ｆから筐体２の天板２ａ迄の距離Ｄが４ｍｍの場合、トレイ３の筐体２側の側面３ｅからスピンドルモータ４ａの回転中心までの距離Ｅが３５ｍｍで、トレイ最大引き出し時における筐体２の開口部２ｃ側端部からスピンドルモータ４ａの回転中心までの距離Ｂが３０ｍｍであれば、上記装着方法で支障なく光ディスクが装着できる。
【００２２】
また、トレイ３の筐体２側の側面３ｅとトレイ３の表面が交わる端部は面取りされ傾斜部３ｇが形成されていても良い。これによってディスクの着脱性がより向上する。同様に、図３を用いて説明した実施の形態の切り欠き部３ｂの側面３ｃの端部３ｄに面取りされた傾斜部を設けても、同様な効果を得ることが出来る。
【００２３】
本実施の形態は、このような構成にすることにより、トレイ３の引き出し方向の寸法が小さくなる為トレイ３の体積が小さくなり、軽量化することが出来る。さらにディスクの着脱がより容易となり、操作性が向上する。
【００２４】
なお本実施の形態では、トレイ３を最大限引き出した状態においては、トレイ３が筐体２内に残っている部分が無いもしくは少ない為、従来の技術と同様にレール７が設けられている。すなわちトレイ３の両側部にはレール部６があり、両側部共にレール７とディスク引き出し方向に摺動自在に嵌合している。また、レール７は筐体２両側部内面に設けられたレールガイド８ともディスク引き出し方向に摺動自在に嵌合しており、トレイ３は筐体２からディスクが着脱できるよう引き出すことが出来る。
【００２５】
しかし例えば、レール部６を筐体２側にトレイ３の筐体２側の側面３ｅから突出させて延長すると、トレイ３の全移動範囲においてレール部６とレールガイド８の摺動自在な嵌合を維持することが出来る為、レール７を除去することができ、さらに軽量化することが出来る。この場合、レール部６の突出部分６ａは必要な強度を確保するよう形状が設定されているが、図７に示すように、レール部６をトレイ３とは別体とし、レール部６を必要な強度を確保できる材質で構成するものであっても良い。この場合、トレイ３へのレール部６の固定としては、接着剤による固定、ねじ止めによる固定、溶着部を設けたうえで溶着による固定、係止部を設けたうえで係止による固定、もしくはこれらを複合した固定が
可能である。この構成を用いると、レール部６を強化することが可能となり、トレイ３の体積が小さくなることによる光ディスク装置の軽量化が図れる。
【００２６】
また、図８に示すトレイ３の奥行きＧや筐体側回路基板９のトレイ引き出し方向の長さＨを、適当な長さに設定することにより、トレイ３を筐体２に収納した状態において、トレイ３と筐体側回路基板９がスピンドルモータ４ａの回転軸方向で重ならないように構成することが出来る（図示せず）。従来の光ディスク装置においては、トレイと筐体側回路基板はスピンドルモータ４ａの回転軸方向で重なる部分が生じる為、薄型の光ディスク装置においては一般的なプリント基板よりも高価な薄型のプリント基板を使用しなければならない場合がある。しかし本構成においては、トレイ３と筐体側回路基板９がスピンドルモータ４ａの回転軸方向で重ならない為、筐体側回路基板９に安価な一般的な厚みのプリント基板を使用することが出来る。
【００２７】
また、図５に示す実施の形態において、トレイ３の引き出し量は、従来の技術と同様に筐体２から最大限引き出した状態では装着された光ディスクの全体が筐体２から引き出され露出するよう設定することも出来る。この場合においても、トレイ３の体積が小さくなることによる軽量化の効果を得ることが出来る。加えてトレイ３の奥行きＧや筐体側回路基板９のトレイ引き出し方向の長さＨを適当に設定することにより、トレイ３を筐体２に収納した状態において、トレイ３と筐体側回路基板９がスピンドルモータ４ａの回転軸方向で重ならないように構成することが出来、回路基板の厚みが光ディスク装置の厚みに影響することを回避できる為、薄型タイプの光ディスク装置において安価な一般的な厚みの回路基板を使用することが出来る。
【産業上の利用可能性】
【００２８】
本発明の光ディスク装置は、電子機器に内蔵もしくは外付けで接続されて使用される光ディスク装置に適用でき、特に薄型、軽量の光ディスク装置に適用できる。
【図面の簡単な説明】
【００２９】
【図１】本発明の一実施の形態における光ディスク装置でトレイを引き出した状態の外観図
【図２】本発明の一実施の形態における光ディスク装置でトレイを引き出した状態であり筐体の天板を除去した外観図
【図３】本発明の一実施の形態における光ディスク装置の光ディスクの取り付けを説明する側面図でトレイを最大限引き出した状態の図
【図４】本発明の別の一実施の形態における光ディスク装置でトレイを引き出した状態の外観図
【図５】本発明の別の一実施の形態における光ディスク装置で、トレイを引き出した状態であり筐体の天板を除去した外観図
【図６】本発明の別の一実施の形態における光ディスク装置で光ディスクの取り付けを説明する側面図
【図７】本発明の別の一実施の形態における光ディスク装置のトレイ部の正面図
【図８】本発明の別の一実施の形態における光ディスク装置のトレイを収納した状態であり筐体の天板を除去した外観図
【図９】従来のトレイ方式の光ディスク装置の外観図
【図１０】従来のトレイ方式の光ディスク装置の外観図で天部を除去した図
【符号の説明】
【００３０】
１    光ディスク装置
２    筐体
２ａ    天部
２ｂ    底部
２ｃ    開口部
２ｄ    後側部
３    トレイ
３ａ    欠落部
３ｂ    切り欠き部
３ｃ    側面
３ｄ    端部
３ｅ    側面
３ｆ    端部
３ｇ    傾斜部
４    ピックアップモジュール
４ａ    スピンドルモータ
４ｂ    ディスク装着部
４ｃ    トレイ側回路基板
５    光ピックアップ
６    レール部
６ａ    突出部分
７    レール
８    レールガイド
９    筐体側回路基板
９ａ    コネクタ
９ｂ    コネクタ
９ｃ    逃がし部
１０    フレキシブルプリントケーブル
１０ａ    折り返し部
１１    ベゼル
１２    先端部分
【図１】
2005129202.tif 000003
【図２】
2005129202.tif 000004
【図３】
2005129202.tif 000005
【図４】
2005129202.tif 000006
【図５】
2005129202.tif 000007
【図６】
2005129202.tif 000008
【図７】
2005129202.tif 000009
【図８】
2005129202.tif 000010
【図９】
2005129202.tif 000011
【図１０】
2005129202.tif 000012